(57)【特許請求の範囲】
【請求項１】
ドレン排水溝の上流側端部にドレンホースの先端部を接続するためのドレンホース接続具であって、ドレン排水溝の上流側端部に取付けられて該上流側端部の上面開口部を覆う基板部と、この基板部に形成されたドレンホース差込部とから成り、このドレンホース差込部は、太いドレンホースを差し込む内径の大きい大径部と、細いドレンホースを差し込む内径の小さい小径部とが、直列に一体形成されたものであって、ドレンホース差込部の上部が大径部に形成され、下部が小径部に形成されており、ドレンホース差込部の外周面に、ドレンホース抜止め部材を固定するための凸リブ又は凹溝が周設されていて、ドレンホース抜止め部材の内面には、ドレンホースの螺旋状山部を螺入する不連続な螺旋状の溝部が形成されていることを特徴とするドレンホース接続具。
【請求項２】
ドレン排水溝の上流側端部にドレンホースの先端部を接続するためのドレンホース接続具であって、ドレン排水溝の上流側端部に取付けられて該上流側端部の上面開口部を覆う基板部と、この基板部に形成されたドレンホース差込部とから成り、このドレンホース差込部は、太いドレンホースを差し込む内径の大きい大径部と、細いドレンホースを差し込む内径の小さい小径部とが、直列に一体形成されたものであって、ドレンホース差込部の上部が小径部に形成され、下部が大径部に形成されると共に、この大径部の上端近傍の外周面に切断用溝部が周設されており、ドレンホース差込部の大径部の外周面と小径部の外周面に、ドレンホース抜止め部材を固定するための凸リブ又は凹溝が周設されていて、ドレンホース抜止め部材の内面には、ドレンホースの螺旋状山部を螺入する不連続な螺旋状の溝部が形成されていることを特徴とするドレンホース接続具。
【請求項３】
ドレンホース抜止め部材が、開環筒状に形成されていることを特徴とする請求項１又は請求項２に記載のドレンホース接続具。
【請求項４】
ドレンホース差込部の大径部に対して小径部が内接する位置関係となるように偏心して形成されていることを特徴とする請求項１ないし請求項３のいずれかに記載のドレンホース接続具。
【請求項５】
基板部の一端にドレン排水溝の上流側の端面開口部を閉塞する端板部が形成され、他端に接合用の重ね縁部が形成されていることを特徴とする請求項１ないし請求項４のいずれかに記載のドレンホース接続具。
【発明の詳細な説明】
【技術分野】
【０００１】
本発明は、ドレン排水溝の上流側端部にドレンホースの先端部を接続するためのドレンホース接続具に関する。
【背景技術】
【０００２】
近年、冷房器や空調器から出るドレン水は、冷房器や空調器から引き出したドレンホースを、屋外のベランダや廊下などの床面に設けたドレン排水溝の上流側端部に接続することによって、ドレン排水溝を通じて排水することが多くなってきた。
【０００３】
このようにドレンホースをドレン排水溝に接続する接続（連結）具として、ドレンホースの出口端部が差し込まれドレン水をドレン排水溝部材の排水路に向けて流すようになっているホース差込孔部と、ドレン排水溝部材に直接取り付けられドレン排水溝部材の排水路を上方から塞ぐ蓋体を構成する取付部とからなるドレン連結具が提案されている（特許文献１）。このドレン連結具には、ホース差込孔部が一つのものと、大小二つのホース差込孔部を二股状に分岐させて形成したものとがある。
【特許文献１】特開２００７−１１３３５５号公報
【発明の開示】
【発明が解決しようとする課題】
【０００４】
上記特許文献１のドレン連結具のうち、大小二つのホース差込孔部を二股状に分岐させて形成したものは、太いドレンホースでも細いドレンホースでも差し込むことができるという利点を有する反面、大小二つのホース差込孔部が二股状に分岐しているため嵩高となり、スペースの小さい場所での施工には適さないという問題があった。しかも、二股状に分岐した大小二つのホース差込孔部は、ドレンホースの差込み方向が互いに異なり、ドレンホースを２本とも真下方向に差し込むことができないという問題もあった。
【０００５】
また、上記のドレン連結具は、ホース差込孔部にドレンホースを差し込むだけであるため、ドレンホースがホース差込孔部から抜け出しやすいという問題もあった。
【０００６】
本発明は、上記の問題に対処すべくなされたもので、その解決しようとする課題は、太いドレンホースでも細いドレンホースでも同じ方向、好ましくは真下方向に差し込むことができ、嵩張らないのでスペースが小さい場所での施工にも有利であり、抜止め部材を取付ければドレンホースの先端部を抜け出さないように固定することもできる、優れたドレンホース接続具を提供することにある。
【課題を解決するための手段】
【０００７】
上記課題を解決するため、第一の本発明に係るドレンホース接続具｛（１）のタイプ｝は、ドレン排水溝の上流側端部にドレンホースの先端部を接続するためのドレンホース接続具であって、ドレン排水溝の上流側端部に取付けられて該上流側端部の上面開口部を覆う基板部と、この基板部に形成されたドレンホース差込部とから成り、このドレンホース差込部は、太いドレンホースを差し込む内径の大きい大径部と、細いドレンホースを差し込む内径の小さい小径部とが、直列に一体形成されたものであって、ドレンホース差込部の上部が大径部に形成され、下部が小径部に形成されており、ドレンホース差込部の外周面に、ドレンホース抜止め部材を固定するための凸リブ又は凹溝が周設されていて、ドレンホース抜止め部材の内面には、ドレンホースの螺旋状山部を螺入する不連続な螺旋状の溝部が形成されていることを特徴としている。
【０００８】
次に、第二の本発明のドレンホース接続具｛（２）のタイプ｝は、ドレン排水溝の上流側端部にドレンホースの先端部を接続するためのドレンホース接続具であって、ドレン排水溝の上流側端部に取付けられて該上流側端部の上面開口部を覆う基板部と、この基板部に形成されたドレンホース差込部とから成り、このドレンホース差込部は、太いドレンホースを差し込む内径の大きい大径部と、細いドレンホースを差し込む内径の小さい小径部とが、直列に一体形成されたものであって、ドレンホース差込部の上部が小径部に形成され、下部が大径部に形成されると共に、この大径部の上端近傍の外周面に切断用溝部が周設されており、ドレンホース差込部の大径部の外周面と小径部の外周面に、ドレンホース抜止め部材を固定するための凸リブ又は凹溝が周設されていて、ドレンホース抜止め部材の内面には、ドレンホースの螺旋状山部を螺入する不連続な螺旋状の溝部が形成されていることを特徴としている。
【０００９】
本発明のドレンホース接続具では、ドレンホース抜止め部材が、開環筒状に形成されていることが望ましい。また、ドレンホース差込部の大径部に対して小径部が内接する位置関係となるように偏心して形成されていることが望ましく、更に、基板部の一端にドレン排水溝の上流側の端面開口部を閉塞する端板部が形成され、他端に接合用の重ね縁部が形成されていることが望ましい。
【発明の効果】
【００１０】
本発明のドレンホース接続具｛（１）のタイプ及び（２）のタイプ｝のように、ドレンホース差込部が、太いドレンホースを差し込む内径の大きい大径部と、細いドレンホースを差し込む内径の小さい小径部とを、直列に一体形成したものであると、太いドレンホースも細いドレンホースも同じ方向（直列方向）に差し込むことができる。しかも、大径部と小径部を直列に一体形成したドレンホース差込部は、前記特許文献１の二股状に分岐した大小二つのホース差込孔部ほど嵩張らないので、スペースが小さい場所での施工に有利である。
【００１１】
そして、上記（１）のタイプのドレンホース接続具は、ドレンホースが太ければドレンホース差込部の上部の大径部に真下方向に差し込むことができ、ドレンホースが細ければ大径部を通って下部の小径部に真下方向に差し込むことができる。また、ドレンホース差込部の外周面にドレンホース抜止め部材固定用の凸リブ又は凹溝が周設されているので、この凸リブ又は凹溝に太いドレンホースの抜止め部材もしくは細いドレンホースの抜止め部材を取付固定し、ドレンホース差込部の大径部に差し込まれた太いドレンホース、又は、ドレンホース差込部の小径部に差し込まれた細いドレンホースを、上記のドレンホース抜止め部材によって抜け出さないように固定することができる。
【００１２】
一方、上記（２）のタイプのドレンホース接続具は、ドレンホースが細ければドレンホース差込部の上部の小径部に真下方向に差し込むことができ、ドレンホースが細ければ、下部の大径部を切断用溝部で切断して上部の小径部を切除し、下部の大径部にドレンホースを真下方向に差し込むことができる。また、ドレンホース差込部の大径部の外周面と小径部の外周面にドレンホース抜止め部材固定用の凸リブ又は凹溝が周設されているので、細いドレンホースを差し込む場合には、ドレンホース差込部の小径部の凸リブ又は凹溝に細いドレンホースの抜止め部材を取付固定して、ドレンホース差込部の小径部に差し込まれた細いドレンホースを抜け出さないように固定することができ、太いドレンホースを差し込む場合には、小径部を切除したドレンホース差込部の大径部の凸リブ又は凹溝に太いドレンホースの抜止め部材を取付固定して、ドレンホース差込部の大径部に差し込まれた太いドレンホースを抜け出さないように固定することができる。
【００１３】
更に、ドレンホース差込部の大径部に対して小径部が内接する位置関係となるように偏心して形成されたドレンホース接続具は、その内接部分を家屋外壁面側にしてドレン排水溝の上流側端部に取付けると、ドレンホース差込部に太いドレンホースを差し込んだ場合でも、細いドレンホースを差し込んだ場合でも、家屋外壁面とドレンホースとの間隔を同一にすることができ、大径部に対して小径部が同心的な位置関係にあるものに比べると、細いドレンホースを家屋外壁面に近づけることができる。
【００１４】
また、基板部の一端にドレン排水溝の上流側の端面開口部を閉塞する端板部が形成され、他端に接合用の重ね縁部が形成されたドレンホース接続具は、その基板部をドレン排水溝の上流側端部に取付けて上面開口部を覆ったときに、同時に上流側の端面開口部も端板部で閉塞されるため、ドレンホースからドレン排水溝に流入したドレン水がドレン排水溝の上流側の端面開口部から流出するのを防止することができ、しかも、重ね縁部をドレン排水溝の蓋部材の端縁に重ねるだけで、ドレンホース接続具の基板部と蓋部材を隙間なく接合できるので、接合作業が簡単になり施工性が向上する。
【発明を実施するための最良の形態】
【００１５】
以下、図面を参照して本発明の具体的な実施形態を詳述する。
【００１６】
図１は本発明の一実施形態に係るドレンホース接続具の斜視図、図２は図１のＡ−Ａ線断面図、図３は図１のＢ−Ｂ線断面図、図４は同ドレンホース接続具の一使用例を示す斜視図、図５は同ドレンホース接続具の一使用例をドレンホースを省略して示す平面図、図６は図５のＣ−Ｄ−Ｅ−Ｆ線断面図、図７は図５のＧ−Ｇ線断面図、図８の（ａ）及び（ｂ）はドレン排水溝の溝部材の平面図及び端面図、図８の（ｃ）（ｄ）はドレン排水溝の蓋部材の平面図及び端面図、図９は同ドレンホース接続具の他の使用例をドレンホースを省略して示す平面図、図１０は図９のＨ−Ｉ−Ｊ−Ｋ線断面図である。
【００１７】
このドレンホース接続具１０は、図１〜図３に示すように、ドレン排水溝の上流側端部に取付けられて該上流側端部の上面開口部を覆う基板部１と、この基板部１の中央に形成された円筒状のドレンホース差込部２とを、熱可塑性合成樹脂にて一体に射出成形したものである。
【００１８】
図３に示すように、基板部１は偏平なハット形状とされ、その両側端には一段低いフランジ部１ａ，１ａが形成されている。そして、基板部１の表面には、図１に示すように、複数本（３本）の細帯状リブ１ｂが形成されている。この細帯状リブ１ｂは、図８の（ｃ）（ｄ）に示すドレン排水溝の蓋部材３１の表面に形成された細帯状リブ３１ｂに対応して形成されたものであって、基板部１の補強効果と意匠効果が得られるようにしたものである。
【００１９】
基板部１の一端には、図１、図２、図６に示すように、端板部１ｃが形成されており、後述するようにドレンホース接続具１０をドレン排水溝３（溝部材３２）の上流側端部に取付けると、ドレン排水溝３（溝部材３２）の上流側端部の上面開口部がドレンホース接続具１０の基板部１によって覆われると共に、ドレン排水溝３（溝部材３２）の上流側の端面開口部が端板部１ｃによって閉塞されるようになっている。この実施形態の端板部１ｃは、基板部１の両側のフランジ部１ａ，１ａよりも、ドレン排水溝３の溝部材３２の底板３２ａの厚さ分だけ下方へ突き出すように形成されているが、端板部１ｃの下面とフランジ部１ａ，１ａの下面が面一に揃うように形成してもよい。その場合は、端板部１ｃの下面が溝部材３２の底板３２ａの上面に当接して上流側の端面開口部を閉塞することになるので、図８の（ａ）（ｂ）に示すように溝部材３２の底板３２ａに細溝部３２ｄが形成されているときには、該細溝部３２ｄに嵌まり込む小凸部を端板部１ｃの下面に設けることが好ましい。
【００２０】
図１、図２に示すように、基板部１の上記端板部１ｃと反対側端には、一段高い接合用の重ね縁部１ｄが形成されており、図６に示すように、ドレンホース接続具１０をドレン排水溝３（溝部材３２）の上流側端部に取付けるときに、この重ね縁部１ｄをドレン排水溝３の蓋部材３１の端縁部に重ねるだけで、ドレンホース接続具１０と蓋部材３１との接合を簡単に行うことができるようになっている。尚、この重ね縁部１ｄを基板部１の両側面まで形成すると、重ね縁部１ｄが溝部材３２の両側の堤部３２ｃ，３２ｃ［図８の（ｂ）を参照］に当たって、ドレンホース接続具１０をドレン排水溝３（溝部材３２）の上流側端部に取付けることができないため、基板部１の上面のみに重ね縁部１ｃを形成しているが、場合によっては、堤部３２ｃ，３２ｃを覆うように重ね縁部１ｄの両端を延設してもよい。また、この重ね縁部１ｄの下面には、蓋部材３１の細帯状リブ３１ｂが嵌まり込む凹部や、後述するようにドレンホース接続具を連結する際にコーキング剤溜まりとなる凹部を形成してもよい。
【００２１】
また、基板部１のドレンホース差込部２と端板部１ｃとの間には、後述するようにドレンホース接続具１０を複数連結してドレン排水溝３の上流側端部に取付ける場合に、端板部１ｃを切除しやすくするための薄肉部１ｅが基板部１の全幅に亘って端板部１ｃと平行に形成されている。この薄肉部１ｅは、カッターなどによる切断作業性を向上させる観点から、図１、図２に示すように薄肉部１ｅの全長に亘ってＶ字形もしくはＵ字形の断面を有する溝状に形成することが望ましいが、薄肉部１ｅの両端部（基板部１の両側面からフランジ部１ａに形成された部分）のみをＶ字形もしくはＵ字形の断面を有する溝状に形成してもよい。
【００２２】
図１〜図３に示すように、基板部１の中央のドレンホース差込部２は円筒形に形成されており、その上部が、太いドレンホース４を差し込む内径の大きい大径部２ａとなっている。そして、ドレンホース差込部２の下部には、細いドレンホース４０を差し込む小径部２ｂとして内径の小さい内筒部２ｂが大径部２ａと同心的に一体形成されている。
【００２３】
上記のように、ドレンホース差込部２が大径部２ａと小径部２ｂを上下に直列させて一体形成したものであると、太いドレンホース４も細いドレンホース４０も真下方向に差し込むことができ、しかも、大小二つのホース差込孔部が二股状に分岐したものほど嵩張らないので、スペースの小さい場所で施工する場合に有利である。また、太いドレンホース４を差し込んだときは、該ホースの下端が大径部２ａと小径部２ｂの段差部に当止され、ドレン排水溝３の溝底に当たるまで挿入されることが防止されるので、ドレンホースの下端開口が溝底で閉塞されてドレン水の流入が妨げられる心配をなくすことができる。同様に、小径部２ｂの下端内周面に内鍔部（不図示）を形成すると、細いドレンホース４０の下端が該内鍔部によって当止され、ドレン排水溝３の溝底に当たらなくなるので、ドレン水の流入が妨げられる心配をなくすことができる。
【００２４】
ドレンホース接続具１０を取付けるドレン排水溝４は、図８の（ａ）（ｂ）に示すような合成樹脂製の溝部材３２と、図８の（ｃ）（ｄ）に示すような合成樹脂製の蓋部材３１からなるものである。溝部材３２は、縦長の底板３２ａの左右両側に全長に亘って堤部３２ａ，３２ａを形成したものであって、この堤部３２ａ，３２ａの相対向する内側面の下端には、蓋部材３１の左右両側のフランジ部３１ａ，３１ａを挿入する凹条３２ｂ，３２ｂが形成されており、また、底板３２ａの上面には、少量のドレン水でもスムーズに流れるように、多数の細溝部３２ｄが形成されている。一方、蓋部材３１は、ドレンホース接続具１０の基板部１と同様の偏平なハット形状の断面を有するもので、左右両側には一段低いフランジ部３１ａ，３１ａが形成されており、上面には補強効果、意匠効果、排水効果等を発揮する３本の細帯状リブ３１ｂが形成されている。そして、蓋部材３１の裏面には、耐荷重を向上させるための３つの支持片３１ｃが形成されている。
【００２５】
次に、上記のドレンホース接続具１０、溝部材３２、蓋部材３１を用いて、図４に示すようなドレン排水設備を屋外のベランダ等に施工する場合について説明する。
【００２６】
まず、上記溝部材３２の凹条３２ｂ，３２ｂに上記蓋部材３１のフランジ部３１ａ，３１ａを挿入し、ドレンホース接続具１０が取付けられる上流側端部を残して、溝部材３２の上面開口部（両側の堤部３２ｃ，３２ｃの相互間の開口部）を蓋部材３１で覆うことにより、ドレン排水溝３を組み立てる。次いで、ドレン排水溝３（溝部材３２）の上流側端部の凹条３２ｂ，３２ｂに、ドレンホース接続具１０のフランジ部１ａ，１ａを挿入することによって、図５〜図７に示すようにドレンホース接続具１０を溝部材３２の上流側端部に取付け、ドレンホース接続具１０の基板部１で溝部材３２の上流側端部の上面開口部を覆うと共に、ドレンホース接続具１０の端板部１ｃで溝部材３２の上流側の端面開口部を閉塞する。そして、図６に示すように、ドレンホース接続具１０の重ね縁部１ｄを蓋部材３１の端縁に重ねて、ドレンホース接続具１０と蓋部材３１を接合し、このドレンホース接続具１０を取付けたドレン排水溝３を、図４，図６に示すようにベランダ床面５の片側の一辺沿いに敷設して、ドレン排水溝３の下流側の端面開口部をベランダの排水溝５ａに臨ませる。そして、図４、図６、図７に示すように屋内の冷房機や空調器から引き出した細いドレンホース４０の先端をドレンホース接続具１０のドレンホース差込部２の小径部２ｂに差し込むか、又は、仮想線で示すように太いドレンホース４をドレンホース差込部２の大径部２ａに差し込んで、ドレン排水設備の施工を完了する。
【００２７】
尚、ドレンホース接続具１０の端板部１ｃと溝部材３２の上流側の端面は接着剤等で水密的に接着することが望ましく、また、ドレンホース接続具１０の端板部１ｃと家屋外壁面７との間にはコーキング剤等を詰めることが望ましい。
【００２８】
上記のように本発明のドレンホース接続具１０を用いて施工すると、太いドレンホース４でも細いドレンホース４０でも差込み接続することができ、しかも、ドレンホース差込部２が円筒形で嵩張らないため、図４に示すようにベランダのスペースの小さい片隅においてドレン排水溝３の上流側端部にドレンホース接続具１０を取付けるような場合に施工がし易くなる利点がある。また、ドレン排水溝３（溝部材３２）の上流側の端面開口部がドレンホース接続具１０の端板部１ｃで閉塞されるため、ドレンホース４又は４０から流入したドレン水はドレン排水溝３（溝部材３２）の端面開口部から流出することなく、ドレン排水溝３を下流側に流れてベランダの排水溝５ａへ排水される。その場合、ドレン水が少量でも、溝部材３２の細溝３２ｄをスムーズに流れて排水される。また、ドレンホース接続具１０の重ね縁部１ｄを蓋部材３１の端縁に重ねるだけで簡単に接合できるので、この点からも施工性が向上する。
【００２９】
上記の施工例は、ドレン排水溝３にドレンホース接続具１０を一つだけ取付けたものであるが、例えば太いドレンホース４と細いドレンホース４０が２本引き出されているような場合には、二つのドレンホース接続具１０を連結してドレン排水溝３の上流側端部に取付ける必要がある。そのような場合は、二番目のドレンホース接続具１０の基板部１を、Ｖ字形の断面を有する溝状の薄肉部１ｅ沿いにカッター等で切断して端板部２を切除し、図９、図１０に示すように、この二番目のドレンホース接続具１０の基板部１の切断端部に、一番目のドレンホース接続具１０の重ね縁部１ｄを重ねて、双方のドレンホース接続具１０，１０を連結すると共に、二番目のドレンホース接続具１０の重ね縁部１ｄをドレン排水溝３の蓋部材３１の端縁部に重ねて接合し、一方のドレンホース接続具１０のドレンホース差込部２の大径部２ａに太いドレンホース４を、また、他方のドレンホース接続具１０のドレンホース差込部２の小径部２ｂに細いドレンホース４０を、それぞれ差し込んで接続すればよい。このようにドレンホース接続具１０を複数連結する場合、前述したように接合用の重ね縁部１ｄの下面にコーキング剤溜まりとなる凹部が形成されていると、コーキング剤を詰めて水密的に連結することができる。
【００３０】
更に、３本以上のドレンホースが引き出されている場合は、二番目以降のドレンホース接続具１０の端板部１ｃを全て切除し、上記と同様に連結して３個以上のドレンホース接続具１０をドレン排水溝３に取付け、それぞれのドレンホース接続具１０のドレンホース差込部２の大径部２ａ又は小径部２ｂに、太いドレンホース４又は細いドレンホース４０を１本ずつ差し込んで接続すればよい。
【００３１】
図１１は、本発明の他の実施形態に係るドレンホース接続具１１の一使用例をドレンホースを省略して示す平面図である。
【００３２】
このドレンホース接続具１１は、ドレンホース差込部２の大径部２ａに対して小径部２ｂが内接する位置関係となるように、小径部２ｂを一端側に偏心させて形成したものである。このドレンホース接続具１１の他の構成は、前記ドレンホース接続具１０と同様であるので、図１１において同一部材に同一符号を付し、重複説明を省略する。
【００３３】
このようなドレンホース接続具１１は、図１１に示すように、大径部２ａに対する小径部２ｂの内接部分を家屋外壁面６側にしてドレン排水溝３の上流側端部に取付けると、ドレンホース差込部２の大径部２ａに太いドレンホースを差し込んだ場合でも、小径部２ｂに細いドレンホースを差し込んだ場合でも、家屋外壁面７とドレンホースとの間隔を同一にすることができ、大径部２ａに対して小径部２ｂが同心的な位置関係にあるものに比べると、細いドレンホースを家屋外壁面７に近づけることができる。
【００３４】
図１２は本発明の更に他の実施形態に係るドレンホース接続具の斜視図、図１３は同ドレンホース接続具にドレンホース抜止め部材を用いて太いドレンホース又は細いドレンホースを接続する場合の分解断面図、図１４は同ドレンホース接続具にドレンホース抜止め部材を用いて太いドレンホースを接続したところを示す断面図、図１５はドレンホース抜止め部材の平面図である。
【００３５】
このドレンホース接続具１２は、円筒状のドレンホース差込部２の大径部の外周面に、ドレンホース抜止め部材７又は７０を固定するための、半円形断面を有する複数（２つ）の凸リブ２ｃが周設されたものであり、その他の構成は前記のドレンホース接続具１０と同様とされている。
【００３６】
太いドレンホース４を抜け出さないように固定するドレンホース抜止め部材７は、図１３、図１４に示すように、ドレンホース接続具１２のドレンホース差込部２に外嵌合させる大径筒部７ａと、コルゲート管からなる太いドレンホース４をねじ込む小径筒部７ｂとを熱可塑性合成樹脂にて一体成形したものであって、図１５に示すように大径筒部７ａも小径筒部７ｂも開環筒状に形成されており、図１３に示すように、大径筒部７ａの内面には、ドレンホース差込部２の凸リブ２ｃを嵌め込む複数（２つ）の凹溝７ｃ，７ｃが、また、小径筒部７ｂの内面には、ドレンホース４の螺旋状山部４ａを螺入する不連続な螺旋状の溝部７ｄが形成されている。
【００３７】
また、細いドレンホース４０を抜け出さないように固定するドレンホース抜止め部材７０は、図１３に示すように、ドレンホース接続具１２のドレンホース差込部２に外嵌合させる大径筒部７ａと、コルゲート管からなる細いドレンホース４０をねじ込む小径筒部７０ｂとを熱可塑性合成樹脂にて一体成形したものであって、上記のドレンホース抜止め部材７と同様に大径筒部７ａも小径筒部７０ｂも開環筒状に形成されており、図１３に示すように、大径筒部７ａの内面には、ドレンホース差込部２の凸リブ２ｃを嵌め込む複数（２つ）の凹溝７ｃ，７ｃが、また、小径筒部７０ｂの内面には、ドレンホース４０の螺旋状山部４０ａを螺入する不連続な螺旋状の溝部７０ｄが形成されている。
【００３８】
上記のドレンホース抜止め部材７又は７０を併用するドレンホース接続具１２は、次の要領でドレンホース４又は４０を抜けないようにドレンホース差込部２に差し込んで固定することができる。まず、太いドレンホース４を接続する場合は、ドレンホース抜止め部材７を回しながら、ドレンホース４の螺旋状山部４ａをドレンホース抜止め部材７の小径筒部７ｂの不連続な螺旋状溝部７ｄに螺入し、ドレンホース４の下端がドレンホース抜止め部材７の大径筒部７ａの下端開口付近に達するまでドレンホース４をねじ込む。そして、ドレンホース４の下端部をドレンホース差込部２の大径部２ａに挿入しながら、ドレンホース抜止め部材７の大径筒部７ａを少し弾性拡開してドレンホース差込部２の大径部２ａに外嵌合させ、ドレンホース差込部２の凸リブ２ｃ，２ｃを大径筒部７ａの凹溝７ｃ，７ｃに嵌め込んで固定する。このようにすると、ドレンホース抜止め部材７はドレンホース差込部２から外れることがなく、ドレンホース４はドレンホース抜止め部材７の小径筒部７ｂから抜け出すことがないので、ドレンホース４をドレンホース差込部２の大径部２ａに抜け出し不能に差込み固定することができる。
【００３９】
また、細いドレンホース７０を接続する場合は、ドレンホース抜止め部材７０を使用し、上記と同じ要領でドレンホース７０をドレンホース差込部２の小径部２ｂに抜け出し不能に差込み固定することができる。
【００４０】
このドレンホース接続具１２では、ドレンホース差込部２の外周面に２つの凸リブ２ｃ，２ｃを形成し、ドレンホース抜止め部材７，７０の大径筒部７ａの内面に２つの凹溝７ｃ，７ｃを形成しているが、凸リブ２ｃと凹溝７ｃの数は１つでも３つ以上でもよい。また、ドレンホース差込部２の外周面に凹溝を形成し、大径筒部７ａの内面に凸リブを形成してもよい。尚、ドレンホース４，４０が、リング状の山部と谷部を交互に連成したコルゲート管からなる場合は、ドレンホース抜止め部材７，７０の小径筒部７ｂ，７０ｂの内面に、不連続な螺旋状溝部７ｄ，７０ｄに替えて開環状の溝部を形成し、小径筒部７ｂ，７０ｂを少し弾性拡開してドレンホース４，４０に外嵌着させることにより、ドレンホース４，４０のリング状山部を小径筒部７ｂ，７０ｂの開環状溝部に嵌め込んで抜けないようにドレンホース４，４０を取付ければよい。
【００４１】
このドレンホース接続具１２の他の構成及び作用効果は、前述のドレンホース接続具１０と同様であるので、図１２〜図１４において、同一部分に同一符号を付し、重複説明を省略する。
【００４２】
尚、ドレンホース４，４０が、リング状の山部と谷部を交互に連成したコルゲート管からなる場合は、ドレンホース抜止め部材７，７０の小径筒部７ｂ，７０ｂの内面に、不連続な螺旋状溝部７ｄ，７０ｄに替えて開環状の溝部を形成し、小径筒部７ｂ，７０ｂを少し弾性拡開してドレンホース４，４０に外嵌着させることにより、ドレンホース４，４０のリング状山部を小径筒部７ｂ，７０ｂの開環状溝部に嵌め込んで抜けないようにドレンホース４，４０を取付ければよい。
【００４３】
図１６は本発明の更に他の実施形態に係るドレンホース接続具の断面図、図１７はドレンホース差込部の小径部を切除した同ドレンホース接続具の断面図である。
【００４４】
このドレンホース接続具１３は、ドレンホース差込部２の上部が細いドレンホース４０を差し込む小径部２ｂに形成され、ドレンホース差込部２の下部が太いドレンホース４を差し込む大径部２ａに形成されたものであって、図１６に示すように、大径部２ａの上端近傍の外周面には切断用溝部２ｄが周設されており、また、大径部２ａと小径部２ｂの外周面には、ドレンホース抜止め部材７，７１を固定するための、半円形断面を有する凸リブ２ｃが複数本（２本）ずつ形成されている。けれども、この偏平なハット形の基板部１には、前記の端板部１ｃや接合用の重ね縁部１ｄや薄肉部１ｅが形成されていない。
【００４５】
このようなドレンホース接続具１３は、前記のドレンホース接続具１０と同様に、基板部１の両側端のフランジ部１ａ，１ａをドレン排水溝３の溝部材３２の凹条３２ｂ，３２ｂに挿入して、溝部材３２の上流側端部に取付けられ、基板部１とドレン排水溝３の蓋部材３１が接着剤等で接合されると共に、溝部材３２の上流側の端面開口部がコーキング剤やシーリング剤で閉塞される。そして、図１６に仮想線で示すドレンホース抜止め部材７又は７１を用いて、以下の要領で太いドレンホース４又は細いドレンホース４０が抜け出さないように接続される。尚、ドレンホース抜止め部材７，７１は、前記と同様、開環筒状の大径筒部７ａ，７１ａと小径筒部７ｂ，７１ｂを一体形成すると共に、大径筒部７ａ，７１ａの内面に凸リブ２ｃが嵌まり込む凹溝を形成し、小径筒部７ｂ，７１ｂの内面にドレンホース４，４０の螺旋状山部４ａ，４０ａを螺入する不連続な螺旋状の溝部を形成したものである。
【００４６】
まず、細いコルゲート管からなるドレンホース４０を接続する場合は、図１６に仮想線で示すように、細いドレンホース４０をドレンホース抜止め部材７１の小径筒部７１ｂにねじ込み、細いドレンホース４０の先端部をドレンホース差込部２の小径部２ｂに挿入しながら、ドレンホース抜止め部材７１の大径筒部７１ａを少し弾性拡開してドレンホース差込部２の小径部２ｂに外嵌合させ、小径部２ｂの外周面の凸リブ２ｃ，２ｃを大径筒部７１ａの凹溝に嵌め込んで、細いドレンホース４０を抜け出さないように固定する。
【００４７】
一方、太いコルゲート管からなるドレンホース４を接続する場合は、予め、ドレンホース差込部２を切断用溝部２ｄに沿って切断することにより、図１７に示すように小径筒部を切除する。そして、図１７に仮想線で示すように、太いドレンホース４をドレンホース抜止め部材７の小径筒部７ｂにねじ込み、太いドレンホース４の先端部をドレンホース差込部２の大径部２ａに挿入しながら、ドレンホース抜止め部材７の大径筒部７ａを少し弾性拡開してドレンホース差込部２の大径部２ａに外嵌合させ、大径部２ａの外周面の凸リブ２ｃ，２ｃを大径筒部７ａの凹溝に嵌め込んで、太いドレンホース４を抜け出さないように固定する。
【００４８】
このドレンホース接続具１３の他の構成及び作用効果は、前述のドレンホース接続具１０と同様であるので、図１６，図１７において、同一部分に同一符号を付し、重複説明を省略する。尚、このドレンホース接続具１３では、ドレンホース差込部２の大径部２ａと小径部２ｂの外周面に凸リブ２ｃ，２ｃを２本ずつ形成し、ドレンホース抜止め部材７，７１の大径筒部７ａ，７１ａの内面に２つの凹溝を形成しているが、凸リブ２ｃと凹溝の数は１つでも３つ以上でもよく、また、ドレンホース差込部２の大径部２ａと小径部２ｂの外周面に凹溝を形成し、大径筒部７ａ，７１ａの内面に凸リブを形成するようにしても勿論よい。また、
ドレンホース４，４０が、リング状の山部と谷部を交互に連成したコルゲート管からなる場合は、ドレンホース抜止め部材７，７１の小径筒部７ｂ，７１ｂの内面に、不連続な螺旋状溝部に替えて開環状の溝部を形成し、小径筒部７ｂ，７１ｂを少し弾性拡開してドレンホース４，４０に外嵌着させることにより、ドレンホース４，４０のリング状山部を小径筒部７ｂ，７１ｂの開環状溝部に嵌め込んで抜けないようにドレンホース４，４０を取付ければよい。
【図面の簡単な説明】
【００４９】
【図１】本発明の一実施形態に係るドレンホース接続具の斜視図である。
【図２】図１のＡ−Ａ線断面図である。
【図３】図１のＢ−Ｂ線断面図である。
【図４】同ドレンホース接続具の一使用例を示す斜視図である。
【図５】同ドレンホース接続具の一使用例をドレンホースを省略して示す平面図である。
【図６】図５のＣ−Ｄ−Ｅ−Ｆ線断面図である。
【図７】図５のＧ−Ｇ線断面図である。
【図８】（ａ）及び（ｂ）はドレン排水溝の溝部材の平面図及び端面図、（ｃ）（ｄ）はドレン排水溝の蓋部材の平面図及び端面図である。
【図９】同ドレンホース接続具の他の使用例をドレンホースを省略して示す平面図である。
【図１０】図９のＨ−Ｉ−Ｊ−Ｋ線断面図である。
【図１１】本発明の他の実施形態に係るドレンホース接続具の一使用例をドレンホースを省略して示す平面図である。
【図１２】本発明の更に他の実施形態に係るドレンホース接続具の斜視図である。
【図１３】同ドレンホース接続具にドレンホース抜止め部材を用いて太いドレンホース又は細いドレンホースを接続する場合の分解断面図である。
【図１４】同ドレンホース接続具にドレンホース抜止め部材を用いて太いドレンホースを接続したところを示す断面図である。
【図１５】ドレンホース抜止め部材の平面図である。
【図１６】本発明の更に他の実施形態に係るドレンホース接続具の断面図である。
【図１７】ドレンホース差込部の小径部を切除した同ドレンホース接続具の断面図である。
【符号の説明】
【００５０】
１    基板部
１ｃ  端板部
１ｄ  接合用の重ね縁部
２    ドレンホース差込部
２ａ  大径部
２ｂ  小径部
２ｃ  凸リブ
２ｄ  切断用溝部
３    ドレン排水溝
３１  蓋部材
３２  溝部材
４    太いドレンホース
４０  細いドレンホース
５    ベランダ床面
７，７０，７１  ドレンホース抜止め部材
１０，１１，１２，１３  ドレンホース接続具
【図１】
0004989345.tif 000002
【図２】
0004989345.tif 000003
【図３】
0004989345.tif 000004
【図４】
0004989345.tif 000005
【図５】
0004989345.tif 000006
【図６】
0004989345.tif 000007
【図７】
0004989345.tif 000008
【図８】
0004989345.tif 000009
【図９】
0004989345.tif 000010
【図１０】
0004989345.tif 000011
【図１１】
0004989345.tif 000012
【図１２】
0004989345.tif 000013
【図１３】
0004989345.tif 000014
【図１４】
0004989345.tif 000015
【図１５】
0004989345.tif 000016
【図１６】
0004989345.tif 000017
【図１７】
0004989345.tif 000018